(57)【要約】【課題】  フレームレートの異なる２つの映像でＰinＰ表示した場合、メイン画像のフレームレートが遅いと著しく見づらい動画となってしまう。【解決手段】  画像比較手段を設け、２つの映像信号のフレームレートを比較し、速いほうのフレームレートをメイン画面のフレームレートとしてＰinＰ画像を合成することにより、常に快適な動画が実現できる。【選択図】  図２
2006121299.tif 000002
【特許請求の範囲】
【請求項１】
映像信号の再生が可能な第１の再生手段と、映像信号の再生が可能な第２の再生手段と、前記第1の再生手段で再生される第１の再生信号と前記第２の再生手段で再生される第２の再生信号の各フレームレートを比較する比較手段と、各再生信号の画像合成を行うための画像合成手段と、前記画像合成手段における画像合成処理を制御するための制御手段、とを有する記録再生装置において、前記制御手段は前記比較手段に於ける比較結果から決定されるフレームレートに基づいて、前記画像合成手段における第１の再生信号と第２の再生信号の合成画像を生成するよう制御することを特徴とする記録再生装置。
【請求項２】
請求項１に於いて、前記比較手段は前記第１の再生信号と前記第２の再生信号の各フレームレートを比較し、速いほうのフレームレートを決定することを特徴とする記録再生装置。
【請求項３】
複数の映像信号の再生が可能な再生手段と、前記再生手段で再生される第１の再生信号と第２の再生信号のフレームレートを比較する比較手段と、各再生信号の画像合成を行うための画像合成手段と、前記画像合成手段における画像合成処理を制御するための制御手段、とを有する記録再生装置において、前記制御手段は前記比較手段に於ける比較結果から決定されるフレームレートに基づいて、前記画像合成手段における第１の再生信号と第２の再生信号の合成画像を生成するよう制御することを特徴とする記録再生装置。
【請求項４】
請求項３に於いて、前記比較手段は前記第１の再生信号と前記第２の再生信号の各フレームレートを比較し、速いほうのフレームレートを決定することを特徴とする記録再生装置。
【請求項５】
請求項１乃至４の何れか一項において、さらに映像信号を表示可能な表示手段を有し、前記表示手段において前記合成手段で合成された映像をピクチャインピクチャ形態で表示することを特徴とする記録再生装置。
【発明の詳細な説明】
【技術分野】
【０００１】
本発明は、動画や静止画を記録再生することの可能なデジタルカメラ、カメラ一体型ＶＴＲ(ビデオカメラ)、或いはディスク記録再生装置（ＤＶＤレコーダ・ハードディスクレコーダ等）といった記録再生装置に関するものである。
【背景技術】
【０００２】
従来、ビデオカメラは、被写体像を撮影する撮像手段（レンズ系より撮像装置としてのＣＣＤに結像され電気画像信号に変化され、撮像プロセス部に於いて所定の撮像処理が施される）、撮像画像を確認するためのモニター手段（電気画像信号に変換された撮像信号をデジタル化しＤＶフォーマットに変換した後にＮＴＳＣ／ＰＡＬ等のビデオ信号としてモニターされる）、撮像画像を記録するための記録再生手段（ＤＶフォーマットに変換した撮像信号をテープに記録／再生を行う）から構成される。
【０００３】
近年、上記記録再生手段を複数個備えている記録再生装置が多くなってきており、例えばビデオカメラを例に取れば第１の記録再生系としてミニＤＶテープに対応し、第２の記録再生系としてメモリーカードに対応したビデオカメラが主流となっている。また、ＶＴＲに置き換わるデッキタイプのレコーダにおいても、ＤＶＤドライブとハードディスク（ＨＤ）を搭載したレコーダや、ＶＨＳとＨＤを搭載したレコーダなど、ハイブリッドタイプの装置が人気をはくしている。
【０００４】
その一方、使用者は再生手段が複数個あっても、その表示画を映し出すＴＶモニタは１台しか接続しない場合が殆どであり、同時に複数の画像を再生しようとすると、画面をマルチ分割したり、ピクチャインピクチャ（ＰinＰ）合成したりして、同時に２画面を表示する方式がとられている。
【０００５】
さらに近年は、ディスクの読み出し技術が発達し、複数の記録情報を高速なスピードにて読出す構成が実現され、再生手段が１つでも複数の画像を同時に再生し、上記ＰｉｎＰ表示することも可能となってきている。このような先行技術は、例えば特許文献１に開示されている。
【特許文献１】特開２００１−８１６８号公報
【発明の開示】
【発明が解決しようとする課題】
【０００６】
しかしながら、上記第２の記録再生系、例えばメモリカードへの記録再生は、概ね静止画撮影を主目的として作られており、動画であるならフレームレートが遅く、ＴＶ等で標準的に再生出来るフレームレート出力が得られるものは殆ど無いのが実情である。
【０００７】
したがって、上記第２の記録再生系を親画面とし、上記第１の記録再生系を子画面とするＰinＰ表示を行うと、本来動解像度が高い上記第１の記録再生系の映像が動解像度の低い上記第２の記録再生系の映像のフレームレートに左右され、見苦しい映像になってしまう。
【０００８】
本発明は上述の如き問題点を解決し、撮像系のフレームレートに左右されず高動解像度の再生を可能とした記録再生装置を提供することを目的とする。
【課題を解決するための手段】
【０００９】
前述の課題を解決するため、本発明の記録再生装置は、映像信号の再生が可能な第１の再生手段と、映像信号の再生が可能な第２の再生手段と、前記第1の再生手段で再生される第１の再生信号と前記第２の再生手段で再生される第２の再生信号のフレームレートを比較する比較手段と、各再生信号の画像合成を行うための画像合成手段と、前記画像合成手段における画像合成処理を制御するための制御手段、とを有する記録再生装置において、前記制御手段は前記比較手段に於ける比較結果から決定されるフレームレートに基づいて、前記画像合成手段における第１の再生信号と第２の再生信号の合成画像を生成するよう制御することを特徴とする。
【００１０】
また、本発明の別の記録再生装置は、複数の映像信号の再生が可能な再生手段と、前記再生手段で再生される第１の再生信号と第２の再生信号のフレームレートを比較する比較手段と、各再生信号の画像合成を行うための画像合成手段と、前記画像合成手段における画像合成処理を制御するための制御手段、とを有する記録再生装置において、前記制御手段は前記比較手段に於ける比較結果から決定されるフレームレートに基づいて、前記画像合成手段における第１の再生信号と第２の再生信号の合成画像を生成するよう制御することを特徴とする。
【発明の効果】
【００１１】
本発明によれば、複数の再生系で再生された複数の映像信号、或いは、高速に読み出された複数の映像信号を、例えばピクチャインピクチャ（ＰinＰ）合成し表示を行う際、再生されるそれぞれの映像信号のフレームレートに左右されることのない、観やすい映像を表示できる。
【発明を実施するための最良の形態】
【００１２】
以下、図面を参照しながら本発明の好適な実施の形態を説明する。
【実施例１】
【００１３】
図1は本発明の特徴を最もよく表す記録再生装置の図面であり同図において、Ｍ１はデジタルビデオ記録用の磁気テープ（カセットテープ）、Ｍ２はＳＤカード又はＭＭＣカード、Ｂ１は各部の制御を行うシステムコントローラー、Ｂ２はカセットテープＭ１からの映像信号をビデオ信号に変換する再生ビデオ信号処理回路、Ｂ３はＳＤカードおよびＭＭＣカードＭ２の映像信号の再生を行うためのJPEG/MPEG処理 SD/MMCメモリーカードコントローラー、Ｂ４は画面表示用の文字信号発生回路（キャラクタジェネレーター：ＣＧ）、である。
【００１４】
図２は、本実施例における、再生ビデオ信号処理回路Ｂ２における画像合成処理に関するブロック図である。本図に於いて、テープを再生する第１再生部にて再生される映像は、再生処理回路に於いて所定の再生処理が施された画像データとして第１再生用画像メモリに記憶される。
【００１５】
またメモリカードを再生する第２再生部にて再生される映像も、再生処理回路に於いて所定の再生処理が施された画像データとして第２再生用画像メモリに記憶される。
【００１６】
操作者が選択する画像として、合成画像を表示させる場合は、親画面映像データ／子画面画像データ共ＰｉｎＰ画像としてのリサイズ処理が行われる。ＳＷ１〜ＳＷ４は操作スイッチである。ＰｉｎＰ再生ＯＮ／ＯＦＦスイッチＳＷ１にてＰｉｎＰ再生モードを起動し、ＰｉｎＰ再生可能な状態となる。一方、親画面選択スイッチＳＷ２と子画面選択スイッチＳＷ３を押すことによりどの映像を親／子画面にするかを選択し、画像決定スイッチＳＷ４にて画面の構成情報を決定する。
【００１７】
また、第１再生部の再生処理回路と第２再生部の再生処理回路より夫々の再生信号のフレームレート情報を得た画像比較回路は、親画面のフレームレートと子画面のフレームレートのどちらがより速いフレームレートの映像かを比較判断し、この比較結果に基づいて、早いほうのフレームレートをＰｉｎＰ合成される合成画像に対するフレームレートとして設定させるべく、画像合成回路に記録フレームレート情報を伝達する。
【００１８】
画像合成回路では伝達されたフレームレート情報により合成処理を画像合成メモリにより行い、合成された画像を、ＬＣＤパネルＶ１やカラービューファインダーＶ２にそれぞれ再生画像信号Ｓ１，Ｓ２として伝送し、表示する。
【００１９】
図３（ａ）は本発明の記録再生装置の制御を行うシステムコントローラーＢ１におけるマイクロコンピュータが実行する処理のフローチャートである。このフローチャートに従い図1及び図２で説明した記録再生装置のフレームレートの決定・及び再生画像の合成手順を説明する。
【００２０】
［ステップ１］
図２に示した第１再生・第２再生それぞれの再生処理回路より得たフレームレート情報を比較し第１再生部のフレームレートのほうが速ければステップ２、第２再生部のフレームレートのほうが速ければステップ３へ処理を分岐する。
【００２１】
［ステップ２］
ステップ２では第１再生画像のフレームレートを画像合成回路に伝達し、ステップ４に進む。
【００２２】
［ステップ３］
ステップ３では第２再生画像のフームレートを画像合成回路に伝達し、ステップ４に進む。
【００２３】
［ステップ４］
ステップ４では、ＰｉｎＰ画像の親画面となる主となる再生映像の選択が第１再生部か第２再生部かのチェックが行われ、第１再生部の場合にはステップ５、第２再生部の場合にはステップ６へ処理を分岐する。
【００２４】
［ステップ５］
ステップ５では、ＰｉｎＰの親画面として、第１再生部の画像が選択されると、図２に示した合成処理回路にて、第１再生部からの映像信号が画像合成用メモリに転送され、かつ、第２再生部からの映像信号については画像メモリ上でデータのリサイズ処理を行った後、画像合成用メモリ内のＰｉｎＰされる位置に該当するアドレスに伝達される。このとき既に伝達されている速いほうのフレームレートに従ったレートで、映像信号は画像合成用メモリに転送される。また、キャラクタジェネレータで生成される、どの状態で画像を表示しているかの文字情報『“同時再生（第１）”表示』を付加した後、ＬＣＤパネル／ＥＶＦには表示１（ｂ）のように表示される。
【００２５】
［ステップ６］
ステップ６では、ＰｉｎＰの親画面として、第２再生部の画像が選択されると、図２に示した、合成処理回路にて、第２再生部からの映像信号が画像メモリ上でのリサイズ処理が行われ画像合成用メモリに転送され、かつ、第１再生部からの映像信号が画像メモリ上でのリサイズ処理を行った後、画像合成用メモリ内のＰｉｎＰ位置に該当するアドレスに転送される。このとき既に伝達されている速いほうのフレームレートに従ったレートで、映像信号は画像合成用メモリに転送される。また、キャラクタジェネレータで生成される、どの状態で画像を表示しているかの文字情報『“同時再生（第２）”表示』を付加した後、ＬＣＤパネル／ＥＶＦには表示２（ｂ）のように表示される。
【００２６】
以上のような構成により、複数の再生部から再生される映像のフレームレートを、速いほうに一本化して合成映像を表示することができる。
【実施例２】
【００２７】
図４は本発明の第２の発明の特徴を最もよく表す記録再生装置の図面である。実施例１との違いは、実施例１に於いてはカセットテープＭ１、ＳＤカード又はＭＭＣカードＭ２といった複数の再生部からの再生画像を用いていたのに対し、本実施例ではＭ３のＤＶＤ等、再生するフレームレートよりも高速で読み出し可能な再生手段を用いているところである。
【００２８】
図４において、Ｍ３はＤＶＤ等のディスク状記録媒体とそのドライブからなるＤＶＤ再生部であり、Ｂ２はＤＶＤ再生部Ｍ３から再生された映像信号をビデオ信号に変換する再生ビデオ信号処理回路である。なお、その他、実施例１と同符号の構成についての説明は、実施例１と同様となので省略する。
【００２９】
図５は、本実施例における、再生ビデオ信号処理回路Ｂ２における画像合成処理に関するブロック図である。本図に於いて、ＤＶＤ再生部Ｍ３にて再生される第１の映像は、再生処理回路に於いて所定の再生処理が施された第１の画像データとして再生用画像メモリに記憶される。
【００３０】
また第１の画像とは時分割に再生された第２の映像も、再生処理回路に於いて所定の再生処理が施された第２の画像データとして再生用画像メモリに記憶される。なお、ＤＶＤ再生部Ｍ３は第１の映像と第２の映像とを倍速以上の高速で時分割でＤＶＤから読み出し、不図示のバッファを用いてタイミング調整することにより、双方のリアルタイムな再生、同時再生を可能としている。
【００３１】
操作者が選択する画像として、合成画像を表示させる場合は、親画面映像データ／子画面画像データ共ＰｉｎＰ画像としてのリサイズ処理が行われる。ＳＷ１〜ＳＷ４は操作スイッチである。ＰｉｎＰ再生ＯＮ／ＯＦＦスイッチＳＷ１にてＰｉｎＰ再生モードを起動し、ＰｉｎＰ再生可能な状態となる。一方、親画面選択スイッチＳＷ２と子画面選択スイッチＳＷ３を押すことによりどの映像を親／子画面にするかを選択し、画像決定スイッチＳＷ４にて画面の構成情報を決定する。
【００３２】
また、再生処理回路より読み出している複数の再生映像に関する各フレームレート情報を得た画像比較回路では、親画面のフレームレートと子画面のフレームレートのどちらがより速いフレームレートの映像かを比較判断し、この比較結果に基づいて、早いほうのフレームレートをＰｉｎＰ合成される合成画像に対するフレームレートとして設定させるべく、画像合成回路に記録フレームレート情報を伝達する。
【００３３】
画像合成回路では伝達されたフレームレート情報により合成処理を画像合成メモリにより行い、合成された画像を、ＬＣＤパネルＶ１やカラービューファインダーＶ２にそれぞれ再生画像信号Ｓ１，Ｓ２として伝送し、表示する。
【００３４】
図６（ａ）は本発明の記録再生装置の制御を行うシステムコントローラーＢ１におけるマイクロコンピュータが実行する処理のフローチャートである。このフローチャートに従い図４及び図５で説明した記録再生装置のフレームレートの決定・及び再生画像の合成手順を説明する。
【００３５】
［ステップ１］
図５に示した再生処理回路より得たフレームレート情報を比較し第１再生画像のフレームレートのほうが速ければステップ２、第２再生画像のフレームレートのほうが速ければステップ３へ処理を分岐する。
【００３６】
［ステップ２］
ステップ２では第１再生画像のフレームレートを画像合成回路に伝達し、ステップ４に進む。
【００３７】
［ステップ３］
ステップ３では第２再生画像のフームレートを画像合成回路に伝達し、ステップ４に進む。
【００３８】
［ステップ４］
ステップ４では、ＰｉｎＰ画像の親画面となる主となる再生映像の選択が第１再生画像か第２再生画像かのチェックが行われ、第１再生画像の場合にはステップ５、第２再生画像の場合にはステップ６へ処理を分岐する。
【００３９】
［ステップ５］
ステップ５では、ＰｉｎＰの親画面として、第１再生画像の画像が選択されると、図５に示した合成処理回路にて、第１再生画像の画像データが画像合成メモリに転送され、かつ、第２再生画像については画像メモリ上でデータのリサイズ処理を行った後、画像合成用メモリ内のＰｉｎＰされる位置に該当するアドレスに転送される。このとき既に伝達されている速いほうのフレームレートに従ったレートで、映像信号は画像合成用メモリに転送される。また、キャラクタジェネレータで生成される、どの状態で画像を表示しているかの文字情報『“同時再生（第１）”表示』を付加した後、ＬＣＤパネル／ＥＶＦには表示１（ｂ）のように表示される。
【００４０】
［ステップ６］
ステップ６では、ＰｉｎＰの親画面として、第２再生画像の画像が選択されると、図５に示した、合成処理回路にて、第２再生画像の画像データが画像メモリ上でのリサイズ処理が行われ画像合成メモリに転送され、かつ、第１再生画像の画像データが画像メモリ上でのリサイズ処理を行った後、画像合成用メモリ内のＰｉｎＰ位置に該当するアドレスに転送される。このとき既に伝達されている速いほうのフレームレートに従ったレートで、画像データは画像合成用メモリに転送される。また、キャラクタジェネレータで生成される、どの状態で画像を表示しているかの文字情報『“同時再生（第２）”表示』を付加した後、ＬＣＤパネル／ＥＶＦには表示２（ｂ）のように表示される。
【００４１】
以上のような構成により、共通の再生部により複数映像が再生される映像のフレームレートを、速いほうに一本化して合成映像を表示することができる。
【図面の簡単な説明】
【００４２】
【図１】実施例１における記録再生装置のブロック図である。
【図２】実施例１における、ビデオ信号処理回路における画像合成処理回路のブロック図である。
【図３】実施例１における、マイクロコンピュータが実行する処理のフローチャート（ａ）と表示形態の例（ｂ）、（ｃ）である。
【図４】実施例２における記録再生装置のブロック図である。
【図５】実施例２における、ビデオ信号処理回路における画像合成処理回路のブロック図である。
【図６】実施例２における、マイクロコンピュータが実行する処理のフローチャート（ａ）と表示形態の例（ｂ）、（ｃ）である。
【符号の説明】
【００４３】
Ｖ１  ＬＣＤパネル
Ｖ２  カラービューファインダー
Ｂ１  システムコントローラー
Ｂ２  再生ビデオ信号処理回路ブロック 
Ｂ３  ＪＰＥＧ／ＭＰＥＧ処理／  ＳＤ・ＭＭＣカードコントローラー
Ｂ５  文字信号発生回路
ＳＷ１  ＰｉｎＰ再生ＯＮ／ＯＦＦスイッチ
ＳＷ２  親画面選択スイッチ
ＳＷ３  子画面選択スイッチ
ＳＷ４  画像決定スイッチ
Ｍ１  カセットテープ
Ｍ２  ＳＤ／ＭＭＣ メモリーカード
Ｍ３  ＤＶＤ再生部
Ｓ１  Ｖ１用再生映像信号
Ｓ２  Ｖ２用再生映像信号
【図１】
2006121299.tif 000003
【図２】
2006121299.tif 000004
【図３】
2006121299.tif 000005
【図４】
2006121299.tif 000006
【図５】
2006121299.tif 000007
【図６】
2006121299.tif 000008